(57)【要約】      （修正有）【課題】カップホルダーにおいて、飲料容器を取り出しやすい位置に安定して収容することができる。【解決手段】飲料容器を収容するカップホルダーであって、有底筒状の固定ホルダー１２と、固定ホルダー１２内に固定ホルダー１２の軸に沿って摺動可能に配されており、飲料容器を収容する有底筒状の可動ホルダー１４と、可動ホルダー１４の内周面側に設けられている第１エア袋４２と、固定ホルダー１２の底板１６と可動ホルダー１４の底部３２との間に配されている第２エア袋６４とを備え、第２エア袋６４への空気の供給量を調節することにより、固定ホルダー１２内における可動ホルダー１４の高さ位置を所望の位置に設定可能であり、第１エア袋４２へ空気を注入することにより、第１エア袋４２が膨らみ、飲料容器に当接することを特徴とする。【選択図】図４
2018158649.tif 000002
【特許請求の範囲】
【請求項１】
飲料容器を収容するカップホルダーであって、
有底筒状の固定ホルダーと、
前記固定ホルダー内に、前記固定ホルダーの軸に沿って摺動可能に配されており、飲料容器を収容する有底筒状の可動ホルダーと、
前記可動ホルダーの内周面側に設けられている第１エア袋と、
前記固定ホルダーの底板と前記可動ホルダーの底部との間に配されている第２エア袋と、を備え、
前記第２エア袋への空気の供給量を調節することにより、前記固定ホルダーに対して前記可動ホルダーがその軸方向に摺動し、前記固定ホルダー内における前記可動ホルダーの高さ位置を所望の位置に設定可能であり、
前記第１エア袋へ空気を注入することにより、前記第１エア袋が膨らみ、前記固定ホルダー内に収容されている前記飲料容器に当接することを特徴とするカップホルダー。
【請求項２】
前記第１エア袋は、前記飲料容器に対向するように設けられている伸縮性を有する表皮と、シート状の基材と、前記基材と前記表皮との間に配されているシート状の伸縮性部材とを備え、前記基材と前記伸縮性部材との間に空気が供給されることを特徴とする請求項１に記載のカップホルダー。
【請求項３】
前記第１エア袋に対して前記可動ホルダーの中心軸側に配されている略角筒状の第１エア袋フレームを更に備え、前記第１エア袋フレームは、それぞれ開口部を有する４つのフレーム部からなり、
前記第１エア袋は複数設けられており、前記第１エア袋はそれぞれ前記フレーム部と前記可動ホルダーの前記内周面との間に配され、前記第１エア袋はそれぞれ前記第１エア袋フレームの前記開口部から前記可動ホルダーの内部空間に露出しており、
前記第１エア袋に空気が供給されると、前記第１エア袋が前記開口部から膨出することを特徴とする請求項１または請求項２に記載のカップホルダー。
【請求項４】
前記第１エア袋は前記開口部から前記可動ホルダーの前記内部空間に露出するように、前記フレーム部において前記可動ホルダーの前記内周面に対向する面に前記第１エア袋はそれぞれ取り付けられていることを特徴とする請求項３に記載のカップホルダー。
【請求項５】
前記第２エア袋及び前記第１エア袋には、それぞれ空気を供給するためのエアチューブが接続されていることを特徴とする請求項１ないし請求項４のいずれか一項に記載のカップホルダー。
【請求項６】
前記可動ホルダーの外周面には当該外周面から突出するガイド部が複数設けられており、
前記固定ホルダーの周壁において前記ガイド部に対応する位置には、前記ガイド部が挿入されつつ、前記可動ホルダーが前記軸に沿って移動可能となるように前記軸に沿って延びるガイドスリットが複数設けられていることを特徴とする請求項１ないし請求項５のいずれか一項に記載のカップホルダー。
【請求項７】
前記第２エア袋及び前記第１エア袋には、それぞれ空気を供給するためのエアチューブが接続されており、
前記可動ホルダーの周壁において、前記第１エア袋に対応し、かつ前記ガイド部からずれた位置にエアチューブ用貫通孔が設けられており、
前記固定ホルダーの前記周壁において、前記エアチューブ用貫通孔に対応する位置には、エアチューブ用スリットが設けられており、前記第１エア袋に接続され、前記エアチューブ用貫通孔を貫通した前記エアチューブが、前記可動ホルダーの移動に伴って前記軸方向に移動可能となるように、前記エアチューブ用スリットは前記軸方向に延設されていることを特徴とする請求項６に記載のカップホルダー。
【発明の詳細な説明】
【技術分野】
【０００１】
本発明は、カップホルダーに関する。
【背景技術】
【０００２】
従来、缶、コップ、瓶、ペットボトル等の飲料容器を収容する収容部を有するカップホルダーにおいて、飲料容器の大きさに応じて収容部の高さを変更可能な構成が知られており、例えば下記特許文献１に開示されている。特許文献１に記載のカップホルダーにおいては、収容部の高さは高い位置と低い位置との２か所に設定可能な構成となっている。
【先行技術文献】
【特許文献】
【０００３】
【特許文献１】特開２０１０−２１５０７３号公報
【発明の概要】
【発明が解決しようとする課題】
【０００４】
上記の構成においては、収容部の高さは決められた２か所の高さにしか設定することができない。そのため、使用者は飲料容器をその大きさに適切な位置で収容することができない場合があった。たとえば、高さの高い飲料容器の場合には倒れてカップホルダーから落下してしまったり、低い飲料容器の場合には使用者が飲料容器をカップホルダーから取り出しづらいといった問題があった。
【０００５】
また、上記の構成においては、飲料容器の径寸法については収容部の位置を調節することはできないため、径の小さい飲料容器を収容部に入れた場合には、収容部内において固定されず不安定となる。
【０００６】
本発明は上記のような事情に基づいて完成されたものであって、飲料容器を取り出しやすい位置に安定して収容することができるカップホルダーを提供することを目的とする。
【課題を解決するための手段】
【０００７】
上記課題を解決するために、本発明は、飲料容器を収容するカップホルダーであって、有底筒状の固定ホルダーと、前記固定ホルダー内に、前記固定ホルダーの軸に沿って摺動可能に配されており、飲料容器を収容する有底筒状の可動ホルダーと、前記可動ホルダーの内周面側に設けられている第１エア袋と、前記固定ホルダーの底板と前記可動ホルダーの底部との間に配されている第２エア袋と、を備え、前記第２エア袋への空気の供給量を調節することにより、前記固定ホルダーに対して前記可動ホルダーがその軸方向に摺動し、前記固定ホルダー内における前記可動ホルダーの高さ位置を所望の位置に設定可能であり、前記第１エア袋へ空気を注入することにより、前記第１エア袋が膨らみ、前記固定ホルダー内に収容されている前記飲料容器に当接することに特徴を有する。
【０００８】
上記構成によれば、エア袋への空気の供給量を調節することによって固定ホルダーに対する可動ホルダーの高さ位置を設定することができるので、飲料容器を収容している可動ホルダーを無段階に所望の高さ位置に設定することができる。これにより、様々な高さの飲料容器に対して可動ホルダーの高さ位置を設定することができるため、カップホルダーから飲料容器の大部分が突出してカップホルダーから落下してしまったり、カップホルダー内に飲料容器が隠れてしまってカップホルダーから取り出しづらいといった事態が発生することを抑制することができる。
【０００９】
また、固定ホルダーの内周面側に設けられている第１エア袋に空気を注入することにより、第１エア袋が膨らみ、固定ホルダー内に収容されている飲料容器に当接するので、固定ホルダー内において飲料容器のガタツキを抑制することができ、飲料容器を安定して保持することができる。また、第１エア袋への空気の注入量を調節することにより第１エア袋の膨張量を無段階に調節することができるので、様々な径の大きさの飲料容器を安定して保持することが可能である。
【００１０】
前記第１エア袋は、前記飲料容器に対向するように設けられている伸縮性を有する表皮と、シート状の基材と、前記基材と前記表皮との間に配されているシート状の伸縮性部材とを備え、前記基材と前記伸縮性部材との間に空気が供給されるものとすることができる。
【００１１】
上記構成によれば、飲料容器に対向するように表皮が配されているので、可動ホルダー内部において見栄えが損なわれない。また、表皮は伸縮性を有しているので、伸縮性部材と共に伸縮することが可能であり、第１エア袋が膨張した状態においても見栄えが良い。
【００１２】
前記第１エア袋に対して前記可動ホルダーの中心軸側に配されている略角筒状の第１エア袋フレームを更に備え、前記第１エア袋フレームは、それぞれ開口部を有する４つのフレーム部からなり、前記第１エア袋は複数設けられており、前記第１エア袋はそれぞれ前記フレーム部と前記可動ホルダーの前記内周面との間に配され、前記第１エア袋はそれぞれ前記第１エア袋フレームの前記開口部から前記可動ホルダーの前記内部空間に露出しており、前記第１エア袋に空気が供給されると、前記第１エア袋が前記開口部から膨出するものとすることができる。
【００１３】
上記構成によれば、第１エア袋は複数設けられているので、迅速に空気の出し入れを行うことができるので、迅速に飲料容器を安定して保持することができる。また、第１エア袋は第１エア袋フレームの開口部を介して膨出し、飲料容器に当接するので、安定して膨出することができる。
【００１４】
前記第１エア袋は前記開口部から前記可動ホルダーの前記内部空間に露出するように、前記フレーム部において前記可動ホルダーの前記内周面に対向する面に前記第１エア袋はそれぞれ取り付けられているものとすることができる。
【００１５】
上記構成によれば、第１エア袋は開口部を有するフレーム部に直接取り付けられているので、取付け作業が簡単であり、空気が注入された際に第１エア袋は効果的に開口部から膨出することができる。
【００１６】
前記第２エア袋及び前記第１エア袋には、それぞれ空気を供給するためのエアチューブが接続されているものとすることができる。
【００１７】
上記構成によれば、エア袋及びサイドエア袋に対して個別に空気の出し入れを調節することができるので、使用者の要求に合った位置で安定して飲料容器を保持することができる。
【００１８】
前記可動ホルダーの外周面には当該外周面から突出するガイド部が複数設けられており、前記固定ホルダーの周壁において前記ガイド部に対応する位置には、前記ガイド部が挿入されつつ、前記可動ホルダーが前記軸に沿って移動可能となるように前記軸に沿って延びるガイドスリットが複数設けられているものとすることができる。
【００１９】
上記構成によれば、固定ホルダーに対して可動ホルダーが摺動する際に、スリット内に挿入されたガイド部により可動ホルダーの動きはガイドされるため、可動ホルダーは安定して移動することができる。
【００２０】
前記第２エア袋及び前記第１エア袋には、それぞれ空気を供給するためのエアチューブが接続されており、前記可動ホルダーの周壁において、前記第１エア袋に対応し、かつ前記ガイド部からずれた位置にエアチューブ用貫通孔が設けられており、前記固定ホルダーの前記周壁において、前記エアチューブ用貫通孔に対応する位置には、エアチューブ用スリットが設けられており、前記第１エア袋に接続され、前記エアチューブ用貫通孔を貫通した前記エアチューブが、前記可動ホルダーの移動に伴って前記軸方向に移動可能となるように、前記エアチューブ用スリットは前記軸方向に延設されているものとすることができる。
【００２１】
上記構成によれば、エアチューブとガイド部は互いに干渉しない位置に設けられているため、固定ホルダーに対して可動ホルダーは円滑に摺動することができる。
【発明の効果】
【００２２】
本発明によれば、カップホルダーにおいて飲料容器を取り出しやすい位置に安定して収容することができる。
【図面の簡単な説明】
【００２３】
【図１】本発明の第１実施形態に係るカップホルダーの斜視図
【図２】飲料容器が収容されていないカップホルダーの斜視図
【図３】カップホルダーの固定ホルダー、可動ホルダー及び飲料容器保持構造を示す分解斜視図
【図４】カップホルダーを示す図２におけるＩＶ−ＩＶ線で切断した断面図
【図５】カップホルダーを示す図２におけるＶ−Ｖ線で切断した断面図
【図６】可動ホルダーが上昇しているカップホルダーを示す断面図
【図７】カップホルダーを示す図１におけるＶＩＩ−ＶＩＩ線で切断した断面図
【図８】本発明の第２実施形態に係るカップホルダーの分解斜視図
【発明を実施するための形態】
【００２４】
本発明の第１実施形態を図１から図７を参照して説明する。本実施形態においては、図１及び図２に示すようなカップホルダー１０について説明する。このようなカップホルダー１０は、例えば車両のセンターコンソールや、乗物のシート側部に取り付けられている。
【００２５】
カップホルダー１０の構成について図３を参照して説明する。カップホルダー１０は、主に固定ホルダー１２と、可動ホルダー１４と、底板１６（図４参照）とから構成されている。
【００２６】
固定ホルダー１２は軸方向に貫通する筒形状を有しており、筒状部２０と筒状部２０よりも径の大きい裾部２２からなる。筒状部２０の周壁における裾部２２付近にはガイドスリット２４が内外に貫通して設けられており、後述するガイド部３４が挿入される。ガイドスリット２４は、可動ホルダー１４がその軸方向に移動可能となるように当該軸に沿って裾部２２の上端から所定の長さ延設されており、ガイド部３４と同じ数設けられている。
【００２７】
また、筒状部２０において、後述するエアチューブ５０を通すためのエアチューブ用スリット２８がガイドスリット２４と干渉しない位置に形成されている。本実施形態においては、４つのエアチューブ用スリット２８が設けられており、各エアチューブ用スリット２８はガイドスリット２４の間に設けられている。裾部２２には後述するエアチューブ６６を通すためのエアチューブ用貫通孔２６が設けられている。
【００２８】
可動ホルダー１４は、筒状部３０と底部３２を有する有底筒状であり、筒状部３０の外周面にはガイド部３４が外周面から突出して設けられている。ガイド部３４は互いに対向する位置に４つ設けられている。また、筒状部３０の周壁にはエアチューブ５０を通すためのエアチューブ用貫通孔３６がガイド部３４と干渉しない位置に形成されている。本実施形態においては、図３に示すように、４つのエアチューブ用貫通孔３６が設けられており、各エアチューブ用貫通孔３６はガイド部３４の間に設けられている。このように、エアチューブ５０とガイド部３４は互いに干渉しない位置に設けられているため、固定ホルダー１２に対して可動ホルダー１４は円滑に摺動することができる。
【００２９】
可動ホルダー１４は固定ホルダー１２の筒状部２０内に固定ホルダー１２の軸に沿って摺動可能に配されている。ガイド部３４は対応するガイドスリット２４に挿入され、エアチューブ用貫通孔３６はエアチューブ用スリット２８に対応した位置に配されている。また、図４に示すように、固定ホルダー１２の裾部２２側の開口は底板１６により塞がれている。
【００３０】
次に、図３から図５を参照して、可動ホルダー１４内に設けられている飲料容器保持構造４０について説明する。図４に示すように、飲料容器保持構造４０は、第１エア袋４２と、第１エア袋４２を取り付ける第１エア袋取付け部材４４と、第１エア袋フレーム４６とを備える。第１エア袋４２は、可動ホルダー１４の内周面側に配されている。
【００３１】
第１エア袋４２は、図４に示すように、第１エア袋取付け部材４４上（可動ホルダー１４の内周面側）に配されているシート状の基材５２と、飲料容器に対向するように、可動ホルダー１４の内部空間に面して配されている表皮５４と、基材５２と表皮５４との間に配されているシート状の伸縮性部材５６とから構成されている。基材５２と、伸縮性部材５６と、表皮５４はそれぞれ長方形状を有しており、その周端部において熱溶着により互いに接着されている。
【００３２】
基材５２は、例えば樹脂材から形成されており、伸縮性を有している必要はない。伸縮性部材５６は、基材５２との間に空気が注入されることにより膨張するようにゴムにより形成されている。表皮５４も伸縮性を有しており、伸縮性部材５６の膨張に伴って膨張する。本実施形態においては、後述するように、第１エア袋４２は第１エア袋取付け部材４４に取付けられており、第１エア袋取付け部材４４によって伸縮性部材５６が筒状部２０に向かって膨張することを抑制しているので、第１エア袋４２は基材５２を有していなくてもよい。
【００３３】
図４に示すように、基材５２と伸縮性部材５６に形成されている貫通孔にエアチューブ５０の一端が挿入されており、エアチューブ５０の他端はポンプ（図示せず）に接続されている。ポンプからエアチューブ５０を介して基材５２と伸縮性部材５６との間に空気が注入される。また、ポンプによって基材５２と伸縮性部材５６との間の空気を吸引することができる。第１エア袋４２に接続されているエアチューブ５０は、第１エア袋取付け部材４４に設けられているエアチューブ用貫通孔４５、可動ホルダー１４のエアチューブ用貫通孔３６、及びエアチューブ用スリット２８に挿通されている。
【００３４】
第１エア袋取付け部材４４は、図３に示すように、軸方向に貫通し、４つの側壁４７を有する角筒形状であり、４つの側壁４７の内面にそれぞれ第１エア袋４２がその溶着部分においてビス５８で取り付けられている。第１エア袋４２が取り付けられた第１エア袋取付け部材４４は、可動ホルダー１４の筒状部３０内に配されている。
【００３５】
第１エア袋フレーム４６は、図３及び図４に示すように、４つの壁状のフレーム部６２により上下に開口を有する略角筒状に形成されており、各フレーム部６２には開口部６０が設けられている。第１エア袋フレーム４６は、更にフレーム部６２と筒状部３０との間にわたって配されているカバー部６５を有している。第１エア袋フレーム４６は、可動ホルダー１４内に配されている第１エア袋取付け部材４４の内部に挿入されており、第１エア袋４２に対して可動ホルダー１４の中心軸側に配されている。フレーム部６２は、第１エア袋４２の表皮５４が開口部６０を介して可動ホルダー１４の内部空間に露出するように、第１エア袋４２を表皮５４側から覆うように配されている。
【００３６】
図４に示すように、固定ホルダー１２の底板１６と可動ホルダー１４の底部３２との間には、第２エア袋６４が配されている。第２エア袋６４にはエアチューブ６６の一端が接続されており、エアチューブ６６は裾部２２に設けられているエアチューブ用貫通孔２６に挿通され、その他端はポンプ（図示せず）に接続されている。エアチューブ６６を介してポンプから第２エア袋６４に対して空気の注入、吸引が行われる。
【００３７】
次に、カップホルダー１０の作用及び効果について図４から図７を参照して説明する。まず、第２エア袋６４に対する空気の注入、吸引による可動ホルダー１４の高さ位置調節の作用について説明する。
【００３８】
ポンプからエアチューブ６６を介して空気を第２エア袋６４に注入することにより、図６に示すように、第２エア袋６４が膨張し可動ホルダー１４を持ち上げることができる。第２エア袋６４に注入する空気の供給量を調節することにより、可動ホルダー１４を任意の高さ位置に無段階に設定できる。高さの低い飲料容器６をカップホルダー１０に入れる際には、可動ホルダー１４に飲料容器６を入れてから所望の高さまで可動ホルダー１４を上げることができる。このように、高さの低い飲料容器を可動ホルダー１４に入れてから、所望の高さまで可動ホルダー１４を上げることにより飲料容器全体がカップホルダー１０の中に収容されてしまい、取り出しづらくなるということが抑制できる。
【００３９】
また、ポンプにより第２エア袋６４からエアチューブ６６を介して空気を吸引することにより、図４に示すように、第２エア袋６４が収縮し可動ホルダー１４の高さ位置を下げることができる。高さの高い飲料容器をカップホルダー１０に入れる際には、第２エア袋からの空気の吸引量を調節することにより、可動ホルダー１４の高さ位置を任意の位置まで下げることができる。このように、高さの高い飲料容器を可動ホルダー１４に入れてから、所望の高さまで可動ホルダー１４を下げることにより、高さの高い飲料容器６の大部分がカップホルダー１０から突出して配置され、不安定になり、カップホルダー１０から落下してしまうという事態が起きることが抑制できる。
【００４０】
このように、第２エア袋６４への空気の供給量を調節することにより、固定ホルダー１２に対して可動ホルダー１４がその軸方向に摺動し、固定ホルダー１２ないにおける可動ホルダー１４の高さ位置を所望の高さ位置に設定可能である。
【００４１】
可動ホルダー１４が固定ホルダー１２に対して上下移動する際には、図５に示すように、ガイド部３４がガイドスリット２４にガイドされることにより、可動ホルダー１４は安定して上下移動することができる。また、可動ホルダー１４の上下動の移動可能範囲は、ガイド部３４がガイドスリット２４の上端に当接する位置から下端に当接する位置までである。この移動可能範囲の間における任意の位置に可動ホルダー１４の高さ位置を設定することができる。
【００４２】
また、図４に示すように、第１エア袋４２に接続されているエアチューブ５０は、可動ホルダー１４のエアチューブ用貫通孔３６を介して筒状部３０の外側に挿通され、さらに、固定ホルダー１２のエアチューブ用スリット２８内を上下動することができる。そのため、可動ホルダー１４の上下動に伴って、エアチューブ５０が固定ホルダー１２に干渉してしまうことはない。
【００４３】
次に、カップホルダーにおける飲料容器保持構造４０の作用及び効果について図１、図２、図４及び図７を参照して説明する。
【００４４】
図４及び図７に示すように、エアチューブ５０は、第１エア袋取付け部材４４のエアチューブ用貫通孔４５及び基材５２に形成されている貫通孔を介して基材５２と伸縮性部材５６との間の空間に連通している。ポンプからエアチューブ５０を介して空気を基材５２と伸縮性部材５６との間の空間（第１エア袋４２）に注入することにより、第１エア袋４２が膨らむ。詳細には、図１及び図７に示すように、伸縮性部材５６と表皮５４が第１エア袋フレーム４６の開口部６０を介して可動ホルダー１４の筒状部３０内に膨出する。このとき、第１エア袋４２に注入する空気量を調節することにより、第１エア袋４２の膨張量を任意の量に設定可能であり、第１エア袋４２が飲料容器６に当接するように膨張させることができる。このとき、４つの第１エア袋４２には同じタイミングでポンプから空気が注入される。
【００４５】
具体的には、図７に示すように、可動ホルダー１４の内径寸法よりも小さい径の飲料容器６がカップホルダー１０に収容された場合には、飲料容器６を可動ホルダー１４に入れた状態で、第１エア袋４２にエアチューブ５０を介して空気を注入する。すると、基材５２と伸縮性部材５６との間の空間に空気が注入され、第１エア袋４２が膨張し始める。そして、図７に示すように、伸縮性部材５６と表皮５４が開口部６０を介して筒状部３０内に膨出し、表皮５４が飲料容器６の表面に当接したところで、空気の注入を停止する。
【００４６】
このように、カップホルダー１０に収容された飲料容器６の径寸法にあわせて、第１エア袋４２が飲料容器６に当接するように、第１エア袋４２の膨出量を調節することができるので、可動ホルダー１４の内径寸法よりも小さい径の飲料容器６がカップホルダー１０に収容された場合おいても、飲料容器６のガタツキを抑制することができ、安定して飲料容器６を保持することができる。これにより、カップホルダー１０内において飲料容器が不安定になり、落下してしまうという事態が抑制される。また、第１エア袋４２への空気の注入量を調節することにより第１エア袋４２の膨張量を無段階に調節することができるので、様々な径の大きさの飲料容器を安定して保持することが可能である。
【００４７】
更に、表皮５４が開口部６０から可動ホルダー１４の内部空間に露出しているので、カップホルダー１０に飲料容器が収容されていない状態においても、カップホルダー１０の内側面の見栄えがよい。また、表皮５４は伸縮性を有しているので、伸縮性部材５６と共に伸縮することが可能であり、第１エア袋が膨張した状態においても見栄えが良い。
【００４８】
第１エア袋４２は第１エア袋取付け部材４４に取り付けられている。そのため、基材５２と伸縮性部材５６との間の空間に空気が注入された際に、第１エア袋４２が可動ホルダー１４の径方向において外側に向かって膨出してしまうことが抑制される。そのため、基材５２と伸縮性部材５６との間の空間に注入された空気により第１エア袋４２は可動ホルダー１４の中心軸に向かって効果的に膨出する。それにより、第１エア袋４２は、飲料容器６に効果的に当接することができ、安定して保持することができる。
【００４９】
膨張した第１エア袋４２を戻す場合には、基材５２と伸縮性部材５６との間の空間に注入された空気をポンプによりエアチューブ５０を介して吸引することにより、第１エア袋４２から空気を抜くことにより、図４に示すように、第１エア袋４２を元の状態に戻すことができる。このとき、ポンプにより同じタイミングで４つの第１エア袋４２から空気が吸引される。
【００５０】
また、第１エア袋４２は複数設けられているので、迅速に空気の出し入れを行うことができるので、迅速に飲料容器を安定して保持することができる。また、第１エア袋４２は第１エア袋フレーム４６の開口部６０を介して膨出し、飲料容器６に当接するので、安定して膨出することができる。
【００５１】
各第１エア袋４２及び第２エア袋６４には、空気を供給するためのエアチューブ５０、６６が接続されており、それぞれポンプに接続されている。そのため、各第１エア袋４２及び第２エア袋６４に対して個別に空気の出し入れを調節することができるので、使用者の要求に合った位置で安定して迅速に飲料容器を保持することができる。また、複数の第１エア袋４２に対して空気の出し入れを同時に行うことが可能であり、異なるタイミングで行うことも可能である。
【００５２】
次に、第２実施形態について、図８を参照して説明する。本実施形態においては、飲料容器保持構造７０が第１実施形態と異なる。本実施形態の飲料容器保持構造７０は、第１エア袋フレーム４６及び第１エア袋４２Ａから構成されており、第１実施形態における第１エア袋取付け部材４４を備えていない。本実施形態において、それ以外の構成、作用及び効果は第１実施形態と同様であり、詳細な説明は省略する。
【００５３】
図８に示すように、第１エア袋フレーム４６のフレーム部６２において可動ホルダー１４の内周面に対向する面に、第１エア袋４２Ａが直接ビス５８により取り付けられており、表皮５４はフレーム部６２の開口部６０から可動ホルダー１４の内部空間に露出している。本実施形態においては、第１エア袋４２Ａの基材５２Ａは伸縮性部材５６が可動ホルダー１４の筒状部２０に向かって膨張してしまうことを抑制可能な程度の剛性を有している材料から構成されている。
【００５４】
上記のように第１エア袋４２Ａが取り付けられた第１エア袋フレーム４６は、可動ホルダー１４の筒状部３０内に挿入される。基材５２Ａと伸縮性部材５６との間に連通されているエアチューブ５０は基材５２Ａの貫通孔に挿通され、可動ホルダー１４のエアチューブ用貫通孔３６に挿通され、ポンプに接続されている。
【００５５】
本実施形態のような構成において、第２エア袋６４への空気の注入、吸引による可動ホルダー１４の上下動及び、第１エア袋４２Ａへの空気の注入量、吸引量の調節による第１エア袋４２Ａの膨張、収縮の作用、効果は第１実施形態と同様である。
【００５６】
さらに、本実施形態においては、第１エア袋４２Ａを第１エア袋フレーム４６に直接取付けているので、カップホルダーの構成が容易となり、部品点数が少なくなり、取付け作業が簡単である。
【００５７】
また、第１エア袋４２Ａの基材５２Ａは剛性を有する材料から構成されているため、第１エア袋４２Ａに空気が注入されて膨張した場合においても、第１エア袋４２Ａが基材５２Ａ側に膨出してしまうことは抑制される。そのため、基材５２Ａと伸縮性部材５６との間の空間に注入された空気により第１エア袋４２Ａは可動ホルダー１４の中心軸に向かって効果的に膨出する。それにより、第１エア袋４２Ａは、飲料容器に効果的に当接することができ、安定して保持することができる。
【００５８】
＜他の実施形態＞
本発明は上記記述及び図面によって説明した実施形態に限定されるものではなく、例えば次のような実施形態も本発明の技術的範囲に含まれる。
【００５９】
第１実施形態における第１エア袋取付け部材４４は設けられていなくてもよい。例えば、固定ホルダー及び可動ホルダーが角筒状に形成され、可動ホルダーの内壁面に第１エア袋４２が取り付けられていてもよい。この場合、基材５２は設けられていなくてもよい。
【００６０】
第１実施形態において、第１エア袋取付け部材４４は、４つの角部のうち対向する２つの角部において分離されている２つの部材から構成されていてもよい。
【００６１】
第１実施形態においては、第１袋エアフレーム４６は１つの部材であったが、各第１エア袋に対応した４つの第１エア袋フレームを組み合わせて構成してもよい。
【００６２】
上記各実施形態においては、ガイド部３４及びガイドスリット２４は可動ホルダー１４及び固定ホルダー１２の周方向において４か所設けられていたが、これに限定されない。例えば２か所、３か所、あるいは５か所以上設けられていてもよい。
【符号の説明】
【００６３】
６…飲料容器、１０…カップホルダー、１２…固定ホルダー、１４…可動ホルダー、１６…底板、２０…筒状部、２２…裾部、２４…ガイドスリット、２６…エアチューブ用貫通孔、２８…エアチューブ用スリット、３０…筒状部、３２…底部、３４…ガイド部、３６…エアチューブ用貫通孔、４０…飲料容器保持構造、４２、４２Ａ…第１エア袋、４４…第１エア袋取付け部材、４５…エアチューブ用貫通孔、４６…第１エア袋フレーム、５０…エアチューブ、５２、５２Ａ…基材、５４…表皮、５６…伸縮性部材、５８…ビス、６０…開口部、６２…フレーム部、６４…第２エア袋、６５…カバー部、６６…エアチューブ
【図１】
2018158649.tif 000003
【図２】
2018158649.tif 000004
【図３】
2018158649.tif 000005
【図４】
2018158649.tif 000006
【図５】
2018158649.tif 000007
【図６】
2018158649.tif 000008
【図７】
2018158649.tif 000009
【図８】
2018158649.tif 000010